(57)【要約】【課題】用紙を反転して搬送する構成を簡略化して騒音や振動を軽減することができるとともに、振動に起因する画質の不具合の発生を防止する。【解決手段】用紙Ｐが排紙搬送路５２に入って正転ロール６２およびピンチロール８０にニップされると、用紙Ｐの後端縁が逆転ロール６３を通過しないタイミングで正転ロール６２がピンチロール８０と離間するとともに、逆転ロール６３が上流側のピンチロール８０を押圧する。また、回動アーム６０の上流側端部が主搬送路１３の出口よりも上方に位置して主搬送路１３を塞ぐ。これにより、用紙Ｐは逆転ロール６３およびピンチロール８０によりニップされ、回動アーム６０に案内されて逆送り搬送路５３に送られる。【選択図】図２
2007320700.tif 000002
【特許請求の範囲】
【請求項１】
記録媒体を反転させて逆方向へ搬送するための反転搬送部を備えた画像形成装置において、前記反転搬送部は、搬送方向の上流側と下流側に設けられ回転方向が互いに逆の搬送ロールと、各搬送ロールと対向して配置されたピンチロールとを備え、前記搬送ロールのいずれか一方と前記ピンチロールとを押圧させるとともに、前記搬送ロールの他方と前記ピンチロールとを離間させ、そのような押圧および離間を上流側と下流側とで切り換えて行うことを特徴とする画像形成装置。
【請求項２】
前記反転搬送部は、中間部を支点として回動自在に支持された支持部材を備え、前記搬送ロールまたは前記ピンチロールは、前記支持部材の両端部に回転自在に支持され、前記支持部材を回動させることにより、前記搬送ロールと前記ピンチロールとの押圧離間を行うことを特徴とする請求項１に記載の画像形成装置。
【請求項３】
前記反転搬送部は、前記搬送ロールおよび前記ピンチロールの間に前記記録媒体の排紙搬送路を備え、前記排紙搬送路の上流側端部に、一面への画像形成が行われた前記記録媒体を下流側へ搬送する正送り搬送路と、前記記録媒体を上流側へ搬送する逆送り搬送路とを接続し、前記支持手段は、回動させられることにより上流側の前記ピンチロールおよび前記搬送ロールどうしを押圧させるとともに、前記正送り搬送路を塞ぎ前記逆送り搬送路を開放することを特徴とする請求項２に記載の画像形成装置。
【請求項４】
前記逆送り搬送路は前記正送り搬送路の上側に配置されていることを特徴とする請求項１〜３のいずれかに記載の画像形成装置。
【請求項５】
前記搬送ロールのうち下流側のものは一方向へ回転し、上流側の前記搬送ロールは逆方向に回転することを特徴とする請求項１〜４のいずれかに記載の画像形成装置。
【請求項６】
前記搬送ロールのうち上流側のものは一方向へ回転し、下流側の前記搬送ロールは逆方向へ回転することを特徴とする請求項１〜４のいずれかに記載の画像形成装置。
【請求項７】
前記搬送ロールは、前記排紙搬送路の上側に配置されていることを特徴とする請求項３〜６のいずれかに記載の画像形成装置。
【請求項８】
前記上流側の搬送ロールは、下流側の搬送ロールよりも上方へ奥まった位置に配置されていることを特徴とする請求項７に記載の画像形成装置。
【請求項９】
前記ピンチロールは、前記排紙搬送路の上側に配置されていることを特徴とする請求項３〜６のいずれかに記載の画像形成装置。 
【請求項１０】
前記上流側のピンチロールは、下流側の搬送ロールよりも上方へ奥まった位置に配置されていることを特徴とする請求項９に記載の画像形成装置。
【発明の詳細な説明】
【技術分野】
【０００１】
本発明は、用紙の両面に画像を形成する画像形成装置において、用紙の片面に画像を形成した後に用紙を反転させるために逆方向へ送る反転搬送機構の改良に係り、特に、騒音を低減するとともに画像の不具合の発生を防止する技術に関する。
【背景技術】
【０００２】
両面印刷のために用紙を反転させる反転搬送機構を備えた画像形成装置としては、たとえば特許文献１に開示されたものが提案されている。この画像形成装置は、正転および逆転可能な排出ロールを備え、共通の排出ロールにより正転および逆転が行われ、排出ロールの正転および逆転の切り換えは、排出ロールを駆動するギヤ列の噛み合わせをソレノイドにより接触又は離間することにより行われている。
【０００３】
【特許文献１】特開２００２−１０４７０６号公報（要約書）
【発明の開示】
【発明が解決しようとする課題】
【０００４】
しかしながら、特許文献１に記載されたような反転搬送機構を備えた画像形成装置では、ギヤ列の噛み合わせを接触又は離間して切り換える構成のため、接触又は離間に起因して騒音や振動が発生したり、バンディング（駆動むらによる横縞）が発生するなどの不具合が発生していた。
【０００５】
したがって、本発明は、ギヤ列の噛み合わせを切り換える従来の構成を排し、騒音や振動を軽減することができるとともに、画質の不具合の発生を防止することができる画像形成装置を提供することを目的としている。
【課題を解決するための手段】
【０００６】
請求項１の画像形成装置は、記録媒体を反転させて逆方向へ搬送するための反転搬送部を備えた画像形成装置において、反転搬送部は、搬送方向の上流側と下流側に設けられ回転方向が互いに逆の搬送ロールと、各搬送ロールと対向して配置されたピンチロールとを備え、搬送ロールのいずれか一方とピンチロールとを押圧させるとともに、搬送ロールの他方とピンチロールとを離間させ、そのような押圧および離間を上流側と下流側とで切り換えて行うことを特徴としている。
【０００７】
上記構成の画像形成装置にあっては、一方向に回転する搬送ロールとピンチロールとを押圧させるとともに、逆方向に回転する搬送ロールとピンチロールとを離間させると、記録媒体は下流側へ搬送される。一方、逆方向に回転する搬送ロールとピンチロールとを押圧させるとともに、一方向に回転する搬送ロールとピンチロールとを離間させると、記録媒体は上流側へ搬送される。したがって、搬送ロールとピンチロールとの押圧および離間を上流側と下流側とで切り換えて行うことにより、下流側へ搬送してきた記録媒体を逆方向へ反転して搬送することができる。しかも、本発明では、そのような搬送方向の切り換えを、搬送ロールとピンチロールとの押圧および離間という動作で行うことができるので、騒音や振動を軽減することができるとともに、画質の不具合の発生を防止することができる。
【０００８】
なお、搬送ロールとピンチロールとを押圧離間させる構成は任意であり、たとえば、ソレノイド等の適宜な駆動手段により、搬送ロールまたはピンチロールの一方を移動させて押圧離間させてもよい。また、搬送ロールおよびピンチロールの双方を移動させて押圧離間させるように構成することもできるが、搬送の駆動系と接続されていないピンチロールを移動させる方が構成は単純である。
【０００９】
搬送ロールおよびピンチロールは、上流側と下流側とで押圧と離間が切り換えられるから、そのような動作を１つの駆動機構で行うと好適である。すなわち、請求項２の画像形成装置では、反転搬送部は、中間部を支点として回動自在に支持された支持部材を備え、搬送ロールまたはピンチロールを支持部材の両端部に回転自在に支持する。そして、支持部材を回動させることにより、搬送ロールとピンチロールとの押圧離間を行う。このような態様では、支持部材を回動させる駆動機構が１つあればよいから、構成が簡略化される。
【００１０】
反転搬送部に記録媒体が搬送されてきたときには、一方向に回転する搬送ロールとピンチロールとの押圧部分で記録媒体をニップして下流側へ搬送する。この場合において、搬送ロールのうち上流側と下流側のもののいずれを一方向又は逆方向に回転させるかは任意である。上流側の搬送ロールを一方向へ回転させ、下流側の搬送ロールを逆方向へ回転させる構成では、搬送されてきた記録媒体の先端縁が一方向へ回転する搬送ロールに最初に接触するので、搬送ロールおよびピンチロールによる記録媒体のニップが円滑に行われる。なお、搬送されてきた記録媒体の先端縁が一方向へ回転するピンチロールに最初に接触しても同様の効果が得られる。一方、下流側の搬送ロールを一方向へ回転させ、上流側の搬送ロールを逆方向へ回転させる構成では、一方向へ回転する下流側の搬送ロールとピンチロールにより、両面に画像が形成された記録媒体が確実に排紙されるという利点がある。
【００１１】
請求項３の画像形成装置では、反転搬送部は、搬送ロールおよびピンチロールの間に記録媒体の排紙搬送路を備える。また、この排紙搬送路の上流側端部には、一面への画像形成が行われた記録媒体を下流側へ搬送する正送り搬送路と、記録媒体を上流側へ搬送する逆送り搬送路とが接続される。そのような構成において、支持手段は、回動させられることにより上流側のピンチロールおよび搬送ロールどうしを押圧させるとともに、正送り搬送路を塞ぎ逆送り搬送路を開放するように構成することが望ましい。従来では、正送り搬送路の出口に上下方向に回動自在なフラップを設け、記録媒体がフラップを押し上げて通過したあとはフラップが自重で閉じ、記録媒体がフラップによって逆送り搬送路に案内されるようにしていたが、上記のような態様では支持手段にフラップの機能を兼ね備えることができ、部品点数を低減することができる。
【００１２】
請求項４の画像形成装置では、逆送り搬送路は正送り搬送路の上側に配置される。これにより、逆送り搬送路を画像形成装置の本体の外側寄りに配置して、正送り搬送路を本体の内側寄りに配置することができ、使用頻度の高い片面のみの画像形成における記録媒体の搬送長さを短くすることができる。
【００１３】
さらには、搬送ロールは、排紙搬送路の上側に配置することができ、逆にピンチロールを排紙搬送路の上側に配置することもできる。逆送り搬送路が正送り搬送路の上側に配置され、上流側の搬送ロールが逆転する場合には、後者の場合の方が有利である。すなわち、搬送ロールはゴムなどの摩擦係数の高い材料で構成され、ピンチロールはプラスチックなどの滑り易い材料で構成される。そして、下側の正送り搬送路を搬送された記録媒体が上向きに排紙搬送路へ進入してその先端縁がピンチロールに接触すると、ピンチロールに接触した記録媒体は、その表面を滑って排紙搬送路内に容易に進むことができる。
【００１４】
上流側の搬送ロールが排紙搬送経路の上側で逆転する場合には、上流側の搬送ロールは、下流側の搬送ロールよりも上方へ奥まった位置に配置されていることが望ましい。これにより、搬送ロールとピンチロールとの間口が大きくなり、下側の正送り搬送路を搬送された記録媒体が上向きに排紙搬送路へ進入したときに、排紙搬送路内に容易に進むことができる。
【００１５】
ピンチロールが排紙搬送路の上側に配置されている場合でも、上流側のピンチロールは、下流側の搬送ロールよりも上方へ奥まった位置に配置されていることが望ましく、これにより、上記と同様の作用、効果を得ることができる。
【発明の効果】
【００１６】
本発明によれば、騒音や振動を軽減することができるとともに、画質の不具合の発生を防止することができる等の効果が得られる。
【発明を実施するための最良の形態】
【００１７】
１．実施形態の構成
［Ａ］全体構成
以下、図面を参照して本発明の一実施形態を説明する。
図１は実施形態の画像形成装置１０を示す側断面図である。画像形成装置１０は、用紙（記録媒体）Ｐを反転させて逆方向へ搬送するための反転搬送部５０を備えている。まず、画像形成装置１０の基本構成について概略説明し、次いで反転搬送部５０を詳細に説明する。
【００１８】
図１において符号１１は画像形成装置１０の本体である。本体１１の側部には、複数の給紙カセット１２が上下方向に複数段（この実施形態では４段）着脱自在に収容されている。給紙カセット１２の側方には、上下方向に延在する主搬送路１３が配置され、この主搬送路１３と各給紙カセット１２とは、給紙搬送路１４により接続されている。
【００１９】
各給紙カセット１２の上面には、給紙カセット１２に収容された用紙Ｐの上面と接触しているナジャーロール１５が配置され、ナジャーロール１５の側方には、フィードロール１６およびリタードロール１７が互いに接触した状態で配置されている。ナジャーロール１５は、用紙Ｐを給紙カセット１２から送り出し、フィードロール１６は、送り出された用紙Ｐを給紙搬送路１４へ送り出す。リタードロール１７は、フィードロール１６と同方向に回転しており、複数枚送り出された用紙Ｐのうち最上に位置するもの以外の用紙Ｐをそこで停止させる。
【００２０】
主搬送路１３と給紙搬送路１４が合流する箇所には、それぞれ送りロール１８が配置され、主搬送路１３の上部には、レジストロール１９が配置されている。送りロール１８は、用紙Ｐを主搬送路を下流側へ搬送し、レジストロール１９は、搬送されてきた用紙Ｐを一次停止させ、現像とのタイミングをとって送り出す。主搬送路１３は、現像および定着等の画像形成処理が行われる工程に沿って用紙Ｐを搬送する経路であり、最下段の給紙カセット１２から用紙Ｐの排出口５１まで延在している。
【００２１】
レジストロール１９の上方には、感光体ドラム２０が回転自在に配置されている。感光体ドラム２０の周囲には、感光体ドラム２０を帯電させる帯電器２１、現像ロール２２および転写ロール２３がこの順番で時計方向に配置されている。また、感光体ドラム２０の側方には、光書込み装置（ＲＯＳ）２４が配置されている。光書込み装置２４は、帯電器２１によって帯電された感光体ドラム２０の表面に静電潜像を書き込む。現像ロール２２は、感光体ドラム２０にトナーを供給することで、静電潜像に対応したトナー画像を形成し、転写ロール２３は、トナー画像を用紙Ｐに転写する。
【００２２】
感光体ドラム２０の上方には、定着ロール２５が配置されている。定着ロール２５は、トナー画像が形成された用紙Ｐを加熱圧縮し、トナー画像を用紙Ｐに定着させる。そして、定着ロール２５の上方には、反転搬送部５０が配置されている。なお、図１において符号２６は排紙トレーであり、排紙トレー２６は本体１１に回動自在に支持されている。以下、反転搬送部５０について図２〜図４を参照して詳細に説明する。
【００２３】
［Ｂ］反転搬送部の構成
図２および図３は図１に示す画像形成装置１０を裏側から見た図である。これらの図に示すように、反転搬送部５０には主搬送路（正送り搬送路）１３が延在してしており、そのうちの排出口５１に至る部分が排紙搬送路５２とされている。排紙搬送路５２の上流側端部には、逆送り搬送路５３が接続されている。図１に示すように、逆送り搬送路５３の先には、送りローラ５４が配置され、逆送り搬送路５３のさらに先は、主搬送路１３に合流してレジストロール１９に至る。
【００２４】
図２〜図４において符号６０は回動アーム（支持部材）であり、回動アーム６０は、軸６１によって本体１１に回動自在に支持されている。図２〜図４において左側が下流側、右側が上流側であり、回動アーム６０の下流側の縁部には、複数の正転ロール（搬送ロール）６２が回転可能に支持され、回動アーム６０の上流側の縁部には、複数の逆転ロール（搬送ロール）６３が正転ロール６２と並んで回転可能に支持されている。正転ロール６２および逆転ロール６３には、モータＭの出力軸がギヤ列６４を介して接続されている。また、正転ロール６２および逆転ロール６３は、ゴムなどの摩擦係数の高い材料で構成されている。
【００２５】
回動アーム６０の上流側の端部には、一端部が本体１１に取り付けられたコイルバネ６５の他端部が取り付けられ、コイルバネ６５により、回動アーム６０は、上流側の端部が下方へ押し下げられるように付勢されている。また、回動アーム６０のやや上流側の端部では、ブラケット６６が下方に突出している。そして、ブラケット６６の下側には、ブラケット６６を押し上げて回動アーム６０を回動させるカム機構７０が配置されている。図２において符号７１はギヤであり、ギヤ７１は、軸７２によって回転自在に支持されている。ギヤ７１には、円周の一部に歯が複数連続して欠落した部分７１ａが形成されている。ギヤ７１の一方の面にはカム７３が固定され、他方の面にはストッパ７４が固定されている。
【００２６】
カム７３は略扇状をなし、その上面にはブラケット６６がコイルバネ６５の付勢力によって押圧されている。ストッパ７４は、略円板状をなし、その外周の一部が突出させられてフック７４ａが形成されている。ストッパ７４の縁部には、一端部が画像形成装置１０の本体１１に取り付けられたコイルバネ７５の他端部が取り付けられており、これにより、ストッパ７４は、図２および図４に示す状態で反時計回りの方向に付勢されている。ストッパ７４の側方には、ラッチバー７６が軸７７によって回転自在に支持されている。ラッチバー７６の上端部にはストッパ７４側へ突出する爪７６ａが形成されている。また、ラッチバー７６の下端部には、ソレノイド７８の出力ピン７８ａが接続されている。出力ピン７８ａは、コイルバネ７８ｂによって突出する方向へ付勢されている。
【００２７】
ギヤ７１には、モータＭの出力軸と接続された入力ギヤ７９が噛み合っている。モータＭは、用紙Ｐを搬送するための図１に示す各種ロールの共通の駆動源を用いてもよく、また、各種ロールの駆動源とは独立したものであってもよい。図２および図３に示すように、正転ロール６２および逆転ロール６３には、軸８１により回転自在に支持されたピンチロール８０が対向して配置されている。ピンチロール８０は、ＰＯＭなどのプラスチックで構成されている。軸８１は、上下方向へ移動可能であり、板ばね８２により正転ロール６２および逆転ロール６３側へ付勢されている。なお、図中符号８３は、主搬送路１３を搬送される用紙Ｐを検出するためのセンサである。
【００２８】
２．実施形態の動作
上記構成の画像形成装置の動作について説明する。給紙カセット１２から送り出された用紙Ｐは、主搬送路１３を搬送されて転写ロール２３に至り、転写ロール２３により感光体ドラム２０に形成されたトナー画像が転写される。次いで、用紙Ｐは定着ロール２５に至り、トナー画像は用紙Ｐに定着される。そして、片面に画像形成された用紙Ｐは、反転搬送部５０に搬送される。
【００２９】
図２に示すように、反転搬送部５０のギヤ７１が回転して歯が欠落した部分７１ａが入力ギヤ７９に達すると、コイルバネ７５の付勢力によりギヤ７１が入力ギヤ７９に対して空回りし、ストッパ７４のフック７４ａがラッチバー７６の爪７６ａと係合してギヤ７１が停止する。その状態で、ギヤ７１の歯が欠落した部分７１ａは入力ギヤ７９と対向しているので、入力ギヤ７９は空回りを続ける。また、カム７３の最も低い部分がブラケット６６に接触している。これにより、回動アーム６０は、コイルバネ６５の付勢力により、その上流側の端部が下方へ傾いた姿勢を保ち、正転ロール６２が下流側のピンチロール８０を押圧している。
【００３０】
主搬送路１３を用紙Ｐが搬送されると、センサ８３が用紙の後端縁を検出する。そして、用紙Ｐが排紙搬送路５２に入って正転ロール６２およびピンチロール８０にニップされると、用紙Ｐの後端縁が逆転ロール６３を通過しないタイミングでソレノイド７８が駆動され、ソレノイド７８の出力ピン７８ａが収縮状態となる。なお、ソレノイド７８の駆動のタイミングは、センサ８３による用紙Ｐの後端縁の検出からタイマにより計時される。
【００３１】
ソレノイド７８が駆動されることにより、ラッチバー７６が時計回りの方向に回転し、その爪７６ａがストッパ７４のフック７４ａから外れる。これにより、ギヤ７１がコイルバネ７５の付勢力により時計回りの方向へ回転し、ギヤ７１の歯が入力ギヤ７９の歯と噛み合ってギヤ７１が時計方向への回転を続ける。これにより、カム７３の高い方の面がブラケット６６を押し上げ、図３に示すように、正転ロール６２がピンチロール８０と離間するとともに、逆転ロール６３が上流側のピンチロール８０を押圧する。また、回動アーム６０の上流側端部が主搬送路１３の出口よりも上方に位置して主搬送路１３を塞ぐ。これにより、用紙Ｐは逆転ロール６３およびピンチロール８０によりニップされ、回動アーム６０に案内されて逆送り搬送路５３に送られる。そして、送りローラ５４によって搬送され、表裏が反転された状態で図１に示すレジストロール１９に達する。次いで、用紙Ｐには片面の画像形成と同様にして画像形成が行われ、反転搬送部５０に送られる。
【００３２】
一方、反転搬送部５０では、ギヤ７１は回転を続けており、このとき、ソレノイド７８への励磁電流の供給は停止されているので、ソレノイド７８の出力軸７８ａはコイルバネ７８ｂの付勢力により突出している。したがって、ギヤ７１が回転し続けると、ストッパ７４のフック７４ａがラッチバー７６の爪７６ａと係合するとともに、ギヤ７１の歯が欠落した部分７１ａが入力ギヤ７９と対向し、ギヤ７１はその状態で停止する（図２の状態）。そして、両面への画像形成が行われた用紙Ｐに対しては、ソレノイド７８の駆動が行われないので、用紙Ｐは正転ロール６２とピンチロール８０とにニップされて排出口５１から排出される。
【００３３】
上記構成の画像形成装置では、正転ロール６２および逆転ロール６３とピンチロール８０との接触および離間を上流側と下流側とで切り換えて行うことにより、下流側へ搬送してきた用紙Ｐを逆方向へ搬送して反転させることができる。しかも、そのような搬送方向の切り換えを、正転ロール６２および逆転ロール６３とピンチロール８０との接触および離間という極めて単純な動作で行うことができるので、上記実施形態のとおり構成を簡略化して騒音や振動を軽減することができるとともに、振動に起因する画質の不具合の発生を防止することができる。
【００３４】
特に、上記実施形態では、回動アーム６０を回動させることにより、正転ロール６２および逆転ロール６３とピンチロール８０との接触と離間を行うから、そのような接触と離間を１つのモータＭで行うことができ、構成がさらに簡略化する。また、下流側に正転ロール６２を配置し、上流側に逆転ロール６３を配置しているから、下流側の正転ロール６２とピンチロール８０により、両面に画像が形成された用紙Ｐを確実に排紙することができる。
【００３５】
また、上記実施形態では、回動アーム６０は、回動させられることにより逆転ロール６３およびピンチロール８０どうしを接触させるとともに、主搬送路１３を塞ぎ逆送り搬送路５３を開放するから、従来のフラップのような部品を省略することができる。さらに、逆送り搬送路５３は主搬送路１３の上側に配置されているので、逆送り搬送路５３を画像形成装置１０の本体１１の外側寄りに配置して、主搬送路１３を本体１１の内側よりに配置することができ、使用頻度の高い片面画像形成における用紙Ｐの搬送長さを短くすることができる。
【００３６】
さらに、上記実施形態では、ピンチロール８０が排紙搬送路５２の上側に配置され、主搬送路１３が下方から排紙搬送路５２に合流しているから、排紙搬送路５２に進入した用紙Ｐの先端縁は最初にピンチロール８０に接触する。ここで、ピンチロール８０はプラスチックで構成されて摩擦係数が小さいから、用紙Ｐが滑りやすく、用紙Ｐはピンチロール８０の表面を滑って排紙搬送路５２内に容易に進むことができる。したがって、ジャムなどのトラブルの発生を未然に防止することができる。
【００３７】
３．変更例
本発明は上記実施形態に限定されるものではなく、以下のように種々の変更が可能である。
（１）正転ロール６２および逆転ロール６３を２つのソレノイドにより別々に駆動することができる。
（２）正転ロール６２および逆転ロール６３の位置を固定し、２つのピンチロールを上記実施形態のような回動アーム６０で移動させるか、別個のソレノイドで駆動することができる。
（３）ピンチロール８０を排紙搬送路５２の下側に配置し、正転ロール６２および逆転ロール６３を排紙搬送路５２の上側に配置することができる。
（４）回動アーム６０を上記実施形態のようなカム機構ではなく、ソレノイドにより直接駆動することができる。
（５）上流側に正転ロール６２を配置し、下流側に逆転ロール６３を配置することができる。この場合、正転ロール６２および逆転ロール６３の位置は、排紙搬送路５２の上側であっても下側であってもよい。
【図面の簡単な説明】
【００３８】
【図１】本発明の一実施形態の画像形成装置の全体構成を示す側断面図である。
【図２】一実施形態の画像形成装置の反転搬送部の詳細を示す側断面である。
【図３】図２に示す状態から回動アームが回動した状態を示す側断面図である。
【図４】（Ａ）は一実施形態の画像形成装置の反転搬送部の要部斜視図であり、（Ｂ）はその一部の側面図である。
【符号の説明】
【００３９】
１０  画像形成装置
１１  本体
１３  主搬送路（正送り搬送路）
５０  反転搬送部
５２  排紙搬送路
５３  逆送り搬送路
６０  回動アーム（支持部材）
６２  正転ロール（搬送ロール）
６３  逆転ロール（搬送ロール）
８０  ピンチロール
Ｐ  用紙（記録媒体）
【図１】
2007320700.tif 000003
【図２】
2007320700.tif 000004
【図３】
2007320700.tif 000005
【図４】
2007320700.tif 000006